(57)【要約】      （修正有）【課題】ＡＶ機器の接続又は離脱時にネットワークシステム全体に関するバスリセットが起こらないようにする。【解決手段】サービスゲートウェー(SG)に対し、データの送受信を行う光送受信器402と、下向データにつきIEEE1394プロトコルの物理階層処理を行い、上向データを光送受信器402に送る第１のIEEE1394物理装置404と、下向データ中の等時性データにつきIEEE1394プロトコルのリンク階層処理を行い、SGへの非等時性データにつきIEEE1394プロトコルのリンク階層処理を行って装置404に上向データとして送るIEEE1394リンク装置405と、装置405からの処理済みの等時性データを所定フォーマットに変換するＡＰＩ406と、IEEE1394ブリッジ装置407と、装置407に接続され、バスが独立した外部のIEEE1394装置と接続する第２のIEEE1394物理装置408と、装置405及び407に接続されIEEE1394プロトコルによる処理と等時性データについての処理を制御する制御部401と、を含む。【選択図】  図４
2005151556.tif 000002
【特許請求の範囲】
【請求項１】
ホームネットワークシステムに使用されるＩＥＥＥ１３９４ホームネットワークサービスプラットフォーム装置であって、
外部のサービスゲートウェーと接続され、前記サービスゲートウェーからの下向データを受信し、上向データを前記サービスゲートウェーに送信するための第１の光送受信器と、
前記第１の光送受信器と接続され、前記下向データについてＩＥＥＥ１３９４プロトコルの物理階層動作を遂行し、前記上向データを前記第１の光送受信器に伝送する第１のＩＥＥＥ１３９４物理装置と、
前記第１のＩＥＥＥ１３９４の物理装置に接続され、ＩＥＥＥ１３９４プロトコルのリンク階層動作を遂行することで、前記下向データ中の等時性データを伝達し、前記ＩＥＥＥ１３９４ホームネットワークサービスプラットフォーム装置で前記サービスゲートウェーに伝達しようとする非等時性データについてＩＥＥＥ１３９４プロトコルのリンク階層動作を遂行して、前記第１のＩＥＥＥ１３９４物理装置に前記上向データとして伝達するＩＥＥＥ１３９４リンク装置と、
前記ＩＥＥＥ１３９４リンク装置に接続され、前記ＩＥＥＥ１３９４リンク装置でリンク階層動作を遂行したＩＥＥＥ１３９４等時性データを所定のマルチメディアデータフォーマットに変換して出力するＡＰＩと、
一側は、前記第１のＩＥＥＥ１３９４物理装置に接続されて第１のバスを使用し、他側は、前記第１のＩＥＥＥ１３９４物理装置が使用するバスとは異なる第２のバスを使用するように構成して、前記第１のバスと前記第２のバスとのデータ送受信が成されるようにするＩＥＥＥ１３９４ブリッジ装置と、
前記ＩＥＥＥ１３９４ブリッジ装置に前記第２のバスを通じて接続され、前記ＩＥＥＥ１３９４ホームネットワークサービスプラットフォーム装置から独立したバスを使用してＩＥＥＥ１３９４装置と接続する第２のＩＥＥＥ１３９４物理装置と、
前記ＩＥＥＥ１３９４リンク装置と前記ＩＥＥＥ１３９４ブリッジ装置とに接続され、前記ＩＥＥＥ１３９４プロトコルによる処理と前記等時性データについての処理とを制御する制御部と、
を含むＩＥＥＥ１３９４方式のホームネットワークサービスプラットフォーム装置。
【請求項２】
前記制御部と接続され、使用者からの非等時性データを受信する非等時性データ受信部をさらに含み、
前記制御部は、前記非等時性データ受信部が受信した非等時性データを、前記ＩＥＥＥ１３９４リンク装置を通じて前記第１のＩＥＥＥ１３９４物理装置に伝達するように制御すること
を特徴とする請求項１に記載のＩＥＥＥ１３９４方式のホームネットワークサービスプラットフォーム装置。
【請求項３】
前記第１のＩＥＥＥ１３９４物理装置と接続され、下位ＩＥＥＥ１３９４ノードとのデータ送受信のための第２の光送受信器をさらに含むこと
を特徴とする請求項１又は２記載のＩＥＥＥ１３９４方式のホームネットワークサービスプラットフォーム装置。
【請求項４】
前記ＡＰＩで変換する所定のマルチメディアフォーマットは、ＡＶ用装置のためのＲＧＢデータであること
を特徴とする請求項１又は２記載のＩＥＥＥ１３９４方式のホームネットワークサービスプラットフォーム装置。
【請求項５】
前記ＡＰＩで変換する所定のマルチメディアフォーマットは、ＡＶ用装置のためのコンポーネントデータであること
を特徴とする請求項１又は２記載のＩＥＥＥ１３９４方式のホームネットワークサービスプラットフォーム装置。
【請求項６】
前記ＡＰＩで変換する所定のマルチメディアフォーマットは、ＡＶ用装置のためのＤＶＩデータであること
を特徴とする請求項１又は２記載のＩＥＥＥ１３９４方式のホームネットワークサービスプラットフォーム装置。
【請求項７】
ネットワーク構成の変更による障害を低減するためのＩＥＥＥ１３９４基盤ネットワークのインターフェース装置であって、
受信されたＩＥＥＥ１３９４プロトコルにフォーマットされたデータの物理階層での変換処理を遂行するための第１の物理階層ユニットと、
ＩＥＥＥ１３９４基盤の受信装置と通信するための第２の物理階層ユニットと、
前記第１の物理階層ユニットと接続された第１のバスと、前記第２の物理階層ユニットと接続された第２のバスと、を含むブリッジユニットと、
前記第１の物理階層ユニットと接続され、前記第１の物理階層ユニットにより提供される受信された等時性データについてのリンク階層の処理を遂行するリンク階層ユニットと、
前記受信された等時性データを既設定されたマルチメディア形式データに変換するために前記リンク階層ユニットに接続されたＡＰＩと、
前記ブリッジユニットと前記リンク階層ユニットとに接続された制御ユニットと、
を含むＩＥＥＥ１３９４基盤ネットワークのインターフェース装置。
【請求項８】
非等時性データを受信するための非等時性データ受信ユニットをさらに含むこと
を特徴とする請求項７記載のＩＥＥＥ１３９４基盤ネットワークのインターフェース装置。
【請求項９】
外部のサービスゲートウェーと接続されて、前記ＩＥＥＥ１３９４フォーマットを受信し、前記受信されたデータを前記第１の物理階層ユニットに供給するための第１の光受信部をさらに含むこと
を特徴とする請求項７記載のＩＥＥＥ１３９４基盤ネットワークのインターフェース装置。
【請求項１０】
少なくとも一つの外部ネットワーク装置と接続するために前記第１の物理階層ユニットと接続された第２の光受信部をさらに含むこと
を特徴とする請求項７記載のＩＥＥＥ１３９４基盤ネットワークのインターフェース装置。
【請求項１１】
前記ＡＰＩで変換する既設定されたマルチメディア形式は、ＡＶ用装置のためのＲＧＢデータであること
を特徴とする請求項７記載のＩＥＥＥ１３９４基盤ネットワークのインターフェース装置。
【請求項１２】
前記ＡＰＩで変換する既設定されたマルチメディア形式は、ＡＶ用装置のためのコンポーネントデータであること
を特徴とする請求項７記載のＩＥＥＥ１３９４基盤ネットワークのインターフェース装置。
【請求項１３】
前記ＡＰＩで変換する既設定されたマルチメディア形式は、ＡＶ用装置のためのＤＶＩデータであること
を特徴とする請求項７記載のＩＥＥＥ１３９４基盤ネットワークのインターフェース装置。
【請求項１４】
前記第１の物理階層ユニット、前記第２の物理階層ユニット、前記リンク階層ユニット及び前記ブリッジユニットは、両方向装置であること
を特徴とする請求項７記載のＩＥＥＥ１３９４基盤ネットワークのインターフェース装置。
【発明の詳細な説明】
【技術分野】
【０００１】
本発明は、ホームネットワークシステムに関する。
【背景技術】
【０００２】
ホームネットワークソリューションとして提案された既存の伝送方式は、イーサネット（Ｅｔｈｅｒｎｅｔ(それぞれ登録商標））、電力線通信（cable wires）、家庭用ＰＮＡ（Ｈｏｍｅ  Ｐｈｏｎｅｌｉｎｅ  Ｎｅｔｗｏｒｋｉｎｇ  Ａｌｌｉａｎｃｅ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、及び無線（ＷＬＬ：Ｗｉｒｅｌｅｓｓ  Ｌｏｃａｌ  Ｌｏｏｐ）等を用いる方式があるが、提案されたそれぞれの方式は、それぞれ固有の長所・短所を有している。
【０００３】
ホームネットワークソリューションで主に用いられることが予想されるマルチメディア伝送においては、十分な帯域幅とＱｏＳ（Ｑｕａｌｉｔｙ  ｏｆ  Ｓｅｒｖｉｃｅ）保障が重要な問題になるが、前述した方式のうち、このような点を最も良く支援することができる方法としては、ＩＥＥＥ１３９４が最も広く知られており、今後、ホームネットワークソリューションの標準に定められる可能性が大きいと言える。
【０００４】
ここで、ＩＥＥＥ１３９４の技術は、アップル社とテキサスインストルメンツ社が共同で提唱したシリアルバスインターフェース（Ｓｅｒｉａｌ  Ｂｕｓ  Ｉｎｔｅｒｆａｃｅ）規格に“ファイヤー  ワイヤ（Ｆｉｒｅ  Ｗｉｒｅ）”というコードネームで開発されてきた。１９８６年から研究されてきたＩＥＥＥ１３９４は、米国電気電子技術者協会（ＩＥＥＥ）で１９９５年１２月に公式に協約され、それを標準化した。
【０００５】
シリアルバスインターフェースとして最大６３本のノードを接続することができるＩＥＥＥ１３９４は、マルチメディア情報の伝送のため主に使用される等時性データ（Ｉｓｏｃｈｒｏｎｏｕｓ  ｄａｔａ−ＡＶ  ｓｔｒｅａｍ  ｄａｔａ）と通信や制御情報の伝送のため使用される非等時性データ（Ａｓｙｎｃｈｒｏｎｏｕｓ  ｄａｔａ−ｃｏｎｔｒｏｌ  及び  ｐａｃｋｅｔ  ｄａｔａ）を処理することにおいて、等時性データに優先権を与える方式を取っているので、ホームネットワークで用いられるマルチメディアデータにＱｏＳを保障する長所を持っている。また、ＩＥＥＥ１３９４ａではＳ１００，Ｓ２００，Ｓ４００のビットレート（ｂｉｔ  ｒａｔｅ）を定義しており、最近出た１３９４ｂでは、ＰＯＦ，ＧＯＦ，ＭＭＦなどの光伝送についての媒体（ｏｐｔｉｃａｌ  Ｍｅｄｉｕｍ）を定義していて、３．２Ｇｂｐｓの高速度を保障して、今後達成されることが予想されるホームネットワーク及び遠隔データ通信に、効果的なソリューションを提供することが期待される。
【０００６】
図１は、従来の技術によるＩＥＥＥ１３９４による網構成の一例を示す図である。
【０００７】
図１に示されたように、ＩＥＥＥ１３９４は、機器の間のデイジーチェイン（Ｄａｉｓｙ  Ｃｈａｉｎ）方式のツリートポロジー（Ｔｒｅｅ  ｔｏｐｏｌｏｇｙ）を基礎に構成された伝送規格である。従って、図１のように、ＩＥＥＥ１３９４による一例の網構造は、上位網との接続のためのサービスゲートウェー（ＳＧ：Ｓｅｒｖｉｃｅ  Ｇａｔｅｗａｙ）１００と下位ネットワークを構成するノード１０１−１乃至１０１−１０から構成される。
【０００８】
このように構成されたＩＥＥＥ１３９４によるネットワークは、自動設定機能及びプラグアンドプレイ（ｐｌｕｇ  ＆  ｐｌａｙ）、ホットプラグイン（Ｈｏｔ  ｐｌｕｇ  ｉｎ）などの機能と実時間等時性伝送及び非同期伝送を同時に遂行することができる構造に設計されていて、特に多様な種類のデータと便宜性が要求される家庭でより有用に使用されることができる長所がある。
【０００９】
図２は、従来のＩＥＥＥ１３９４のデイジーチェイン構造による機器の離脱によるバスリセット例示図である。
【００１０】
ＩＥＥＥ１３９４方式は、固有の長所を有する反面、ベースとなるＰＣ（Ｐｅｒｓｏｎａｌ  Ｃｏｍｐｕｔｅｒ）とその周辺機器の接続性を目的とし、機器間のデイジーチェインを基盤としたツリートポロジーに基づいている。従って、図２から分かるように、ＩＥＥＥ１３９４は、単位バス（bus unit）に接続されたノードの役割を担う機器についての電源のオン／オフや、装着，脱着のようなイベントが発生するとき、バスに接続された全てのノードがリセットされ、再構成(reconfiguration)のプロセスを経る。従って、家庭でディジタルカムコーダーのような製品を随時に網に接続及び制御することは、ネットワーク全体の安定性を著しく害することになる。
【００１１】
すなわち、装置１（２１）、装置２（２２）及び装置３（２４）から構成されたデイジーチェイン構造で、装置２が２２の位置から２３の位置に離脱すると、それぞれのバスに接続された全てのノード（すなわち、装置１（２１）及び装置３（２４）をいう。）は、リセット及び再構成の処理を行う必要が生じる。同時に、下位の装置３(２４)へのデータ接続が急に中断されて、これによりデータの損失が発生することになる。
【００１２】
また、終端ノード（ｌｅａｆ  ｎｏｄｅ）の役割を担う機器を動作するためには、中間の枝ノード（ｂｒａｎｃｈ  ｎｏｄｅ）機器の電源を必ず“ＯＮ”にしなければならない問題点がある。
【００１３】
このような、ＩＥＥＥ１３９４ネットワークの機器のオン/オフ時にシステム全体のバスリセット動作が成されれば、マルチメディアデータの伝送においてＱｏＳを保障することができない問題点になり、かかる問題点の克服がＩＥＥＥ１３９４ネットワークの構成において最も重要な課題となる。従って、これについての研究が求められている。
【発明の開示】
【発明が解決しようとする課題】
【００１４】
本発明の目的は、ＡＶ機器の接続又は離脱時にネットワークシステム全体についてのバスリセットが起こらないように構成されたＩＥＥＥ１３９４方式のホームネットワークノード装置を提供するところにある。
【００１５】
また、本発明の他の目的は、ＩＥＥＥ１３９４ｂ方式から構成することにより、従来の機器の間の接続限界である４．５ｍを約５０ｍまで拡張することにより、幅広い空間で活用可能なことができるようにするところにある。
【００１６】
また、本発明のさらに他の目的は、本発明に従ったＩＥＥＥ１３９４方式のホームネットワークノード装置を既存電力線コンセントと一体化されているビルトインノード装置（ｂｕｉｌｔ−ｉｎ  ｎｏｄｅ  ｐｌａｔｆｏｒｍ）に提供して、ユーザが容易にアクセスできるようにするところにある。
【課題を解決するための手段】
【００１７】
前述した目的を達成するための本発明は、ホームネットワークシステムに使用されるＩＥＥＥ１３９４ホームネットワークサービスプラットフォーム装置であって、外部のサービスゲートウェーと接続され、前記サービスゲートウェーからの下向データを受信し、上向データを前記サービスゲートウェーに送信するための第１の光送受信器と、前記第１の光送受信器と接続され、前記下向データについてＩＥＥＥ１３９４プロトコルの物理階層動作を遂行し、前記上向データを前記第１の光送受信器に伝送する第１のＩＥＥＥ１３９４物理装置と、前記第１のＩＥＥＥ１３９４の物理装置に接続され、ＩＥＥＥ１３９４プロトコルのリンク階層動作を遂行することで、前記下向データ中の等時性データを伝達し、前記ＩＥＥＥ１３９４ホームネットワークサービスプラットフォーム装置で前記サービスゲートウェーに伝達しようとする非等時性データについてＩＥＥＥ１３９４プロトコルのリンク階層動作を遂行して、前記第１のＩＥＥＥ１３９４物理装置に前記上向データとして伝達するＩＥＥＥ１３９４リンク装置と、前記ＩＥＥＥ１３９４リンク装置に接続され、前記ＩＥＥＥ１３９４リンク装置でリンク階層動作を遂行したＩＥＥＥ１３９４等時性データを所定のマルチメディアデータフォーマットに変換して出力するＡＰＩと、一側は、前記第１のＩＥＥＥ１３９４物理装置に接続されて第１のバスを使用し、他側は、前記第１のＩＥＥＥ１３９４物理装置が使用するバスとは異なる第２のバスを使用するように構成して、前記第１のバスと前記第２のバスとのデータ送受信が成されるようにするＩＥＥＥ１３９４ブリッジ装置と、前記ＩＥＥＥ１３９４ブリッジ装置に前記第２のバスを通じて接続され、前記ＩＥＥＥ１３９４ホームネットワークサービスプラットフォーム装置から独立したバスを使用してＩＥＥＥ１３９４装置と接続する第２のＩＥＥＥ１３９４物理装置と、前記ＩＥＥＥ１３９４リンク装置と前記ＩＥＥＥ１３９４ブリッジ装置とに接続され、前記ＩＥＥＥ１３９４プロトコルによる処理と前記等時性データについての処理とを制御する制御部と、を含む。
【発明の効果】
【００１８】
本発明によれば、ＩＥＥＥ１３９４方式のホームネットワークノード装置であるホームネットワークサービスプラットフォームを提供することにより、ＡＶ機器の接続又は離脱時にネットワークシステムの全体についてのバスリセットが起こらないようにする効果がある。
【００１９】
また、本発明では、ＩＥＥＥ１３９４ｂ方式で構成することにより、従来の機器間接続の限界である４．５ｍを約５０ｍにまで拡張することが出来、幅広い空間で活用可能となる効果がある。
【００２０】
また、本発明によれば、本発明に従ったＩＥＥＥ１３９４方式のホームネットワークノード装置を既存の電力線コンセントと一体化されているビルトインノード装置（ｂｕｉｌｔ−ｉｎ  ｎｏｄｅ  ｐｌａｔｆｏｒｍ）に提供し、接続のアクセスが容易に行えるようになる効果がある。
【発明を実施するための最良の形態】
【００２１】
以下、添付した図面を参照して本発明に従った望ましい実施形態を詳細に説明する。なお、各図面中、同一の構成要素及び部分には、可能な限り同一の参照番号及び符号を共通使用するものとする。また、下記説明において、関連する公知の機能や構成についての具体的な記述が本発明の要旨を不要にぼかす虞があると判断される場合、その詳細な説明を省略する。
【００２２】
本発明の実施形態を説明することにおいて、先ず用語についての定義を行う。以下の説明で「内部ネットワーク」、及び「外部ネットワーク」という用語を使用するが、「内部ネットワーク」とは、本発明に従ったホームネットワークノード装置であるＳＰとＳＰの下位に接続される装置の間のネットワークを意味する。そして、「外部ネットワーク」とは、本発明に従ったホームネットワークノード装置であるＳＰとＳＰの上位に接続されるＳＧ、及び、ＳＰとツリー構造で接続される他のＩＥＥＥ１３９４ノードとのネットワークを意味する。
【００２３】
図３は、本発明に従ったＩＥＥＥ１３９４ホームネットワークの一実施形態の構成図である。
【００２４】
図３に示されたように、本発明に従ったＩＥＥＥ１３９４ホームネットワークは、外部ネットワーク（例えばインターネット）３５及びＶＯＤ（Ｖｉｄｅｏ  Ｏｎ  Ｄｅｍａｎｄ）サーバ３６と接続され、これらのいずれか或いは双方から、必要とするデータを伝達され、ＩＥＥＥ１３９４ホームネットワークの内部の装置に伝送するＳＧ（Ｓｅｒｖｉｃｅ  Ｇａｔｅｗａｙ）３１と、ＩＥＥＥ１３９４プロトコルによってＳＧ３１と接続され、ＳＧ３１から受信したデータを、それぞれの使用者機器に伝達するＳＰｎ（３２乃至３４）と、を含んで構成される。
【００２５】
本発明での特徴は、ツリー構造のトポロジーを構成せずに、ＳＧ３１とそれぞれのＳＰ（３２乃至３４）が１対１として接続される。そして、それぞれのＳＰ（３２乃至３４）は、電源が“ＯＮ”された状態で維持される。さらに、図３に示されたように、それぞれのＳＰ（３２乃至３４）にＴＶ３０１やコンピュータ３０２を接続して使用するか、或いは他のＩＥＥＥ１３９４装置３０４を接続するか、或いは他のＩＥＥＥ１３９４ノード３０３に接続することが可能である。
【００２６】
こうしたＳＰでの動作を概略的に説明すると、それぞれのＳＰ（３２乃至３４）は、ＳＧ３１との通信においては、ＩＥＥＥ１３９４方式を使用する。但し、ＴＶ３０１に接続する場合のように、ＩＥＥＥ１３９４方式を支援しない機器の場合には、本発明の実施形態によるＳＰ（３２乃至３４）は、ＩＥＥＥ１３９４方式のデータを当該機器（例えば、ＴＶ）に該当する方式のデータに変換して伝送する。この場合には、ＴＶ３０１のような機器がＩＥＥＥ１３９４方式を使用するものではないため、当該機器の接続又は離脱（分離）時にバスのリセットが発生しない。
【００２７】
そして、ＩＥＥＥ１３９４装置３０４と直接ＩＥＥＥ１３９４方式により接続されることもできる。しかしながら、この場合にも、ＩＥＥＥ１３９４ブリッジ装置を通じてＳＧ３１との接続のためのバスと、ＩＥＥＥ１３９４装置３０４との接続のためのバスと、を区分して、ＩＥＥＥ１３９４装置３０４が接続又は分離されてもバスリセットが発生しないようにする。
【００２８】
一方、本発明の実施形態で、それぞれのＩＥＥＥ１３９４ノードであるＳＰ（３２乃至３４）は、ＳＧ３１と直接接続されるように構成されるが、やむを得ない場合には、従来のようなデイジーチェイン方式のトポロジーを構成することもできる。すなわち、図３に示すように、例えばＳＰ３３に対して新たなＩＥＥＥ１３９４ノード３０３を接続させることも可能である。しかしながら、この場合には、装置の接続又は離脱時にバスのリセットが発生する。
【００２９】
図４は、図３に示されたＩＥＥＥ１３９４ホームネットワークに適用されるＩＥＥＥ１３９４ホームネットワークサービスプラットフォーム装置（ＳＰ）の一実施形態を示す内部構成図である。
【００３０】
本発明に従ったＳＰは、図４に示すように、ＳＧ３１と接続される第１の光送受信器４０２と、他のＩＥＥＥ１３９４ノード（図示せず）との接続のための第２の光送受信器４０３と、外部のネットワークに対して（すなわち、第１の光送受信器又は第２の光送受信器を通じて）ＩＥＥＥ１３９４データの受信或いは送信を行うために、物理階層の処理（operation）を遂行する第１のＩＥＥＥ１３９４物理装置（ユニット）４０４と、ＩＥＥＥ１３９４データのリンク階層の処理のためのＩＥＥＥ１３９４リンク装置（ユニット）４０５と、ＩＥＥＥ１３９４装置との接続のための第２のＩＥＥＥ１３９４物理装置（ユニット）４０８と、第１のＩＥＥＥ１３９４物理装置４０４と第２のＩＥＥＥ１３９４物理装置４０８との間に相異なるバスを使用させて、相互に他のバスにより伝達されるデータをそれぞれ変換して伝送するＩＥＥＥ１３９４ブリッジ装置４０７と、ＩＥＥＥ１３９４リンク装置４０５に接続されて等時性データであるマルチメディアデータを当該アプリケーションの機器に合致する信号に変換して伝達するＡＰＩ（Ａｐｐｌｉｃａｔｉｏｎ  Ｐｒｏｔｏｃｏｌ  Ｉｎｔｅｒｆａｃｅ）４０６と、使用者のリモコンなどから無線で伝送される非等時性データを受信して上位ＳＧに伝達するための非等時性データ受信部４０９及びＩＥＥＥ１３９４リンク装置４０５と、ＩＥＥＥ１３９４ブリッジ装置４０７及び非等時性データ受信部４０９と接続され、ＩＥＥＥ１３９４プロトコルによる処理と非等時性データの処理などを含むＳＰ内部の動作を制御する制御部４０１と、を含んで構成される。
【００３１】
図４に示す各の構成部分と図３に示すホームネットワークの構成図を参照して、本発明に従ったＳＰについて詳細に説明すると、次の通りである。
【００３２】
先ず、第１の光送受信器４０２は、外部のネットワーク（例えば、ＳＧ３１）からデータを受信し、該データを光／電変換して第１のＩＥＥＥ１３９４物理装置４０４に供給し、内部からの上向信号を電／光変換して外部のネットワーク（例えば、ＳＧ３１）に送信する。ＩＥＥＥ１３９４ａプロトコルでは、光伝送についての定義を行っていないが、ＩＥＥＥ１３９４ｂプロトコルでは、データ伝送を光信号に行うことを定義している。特に、本発明の実施形態では、当該光信号の伝送のために、ＰＯＦ（Ｐｌａｓｔｉｃ  Ｏｐｔｉｃａｌ  Ｆｉｂｅｒ）を使用する。
【００３３】
そして、第２の光送受信器４０３は、従来と同様なデイジーチェイン形式のトポロジーを形成するために使用されるものであり、外部のネットワークからのデータや当該ＳＰからのデータを光信号に変換して下位ノードのＳＰに伝達し、或いは下位ノードのＳＰからのデータを受信する。
【００３４】
そして、第１のＩＥＥＥ１３９４物理装置４０４は、第１の光送受信器４０２又は第２の光送受信器４０３により光／電変換されて伝達されたＩＥＥＥ１３９４のデータを受信し或いは送信するために、物理階層の動作を遂行する。
【００３５】
先ず、下向データの処理について説明する。第１のＩＥＥＥ１３９４物理装置４０４は、第１の光送受信器４０２からデータを受信すると、当該データがマルチメディアデータであるか否かをチェックし、マルチメディアデータであれば、ＡＰＩ４０６を介してＡＶ装置に受信されるように、該データをＩＥＥＥ１３９４リンク装置４０５に伝送する。
【００３６】
また、第１のＩＥＥＥ１３９４物理装置４０４は、第１の光送受信器４０２からデータを受信すると、当該データがＩＥＥＥ１３９４装置３０４（図３参照）で使用されるデータであるか否かをチェックし、ＩＥＥＥ１３９４装置３０４のためのデータであれば、該データをＩＥＥＥ１３９４ブリッジ装置４０７に伝送し、第１のＩＥＥＥ１３９４物理装置４０４で使用されるバスとは異なるバスを通じて、該データを第２のＩＥＥＥ１３９４物理装置４０８に伝達させる。
【００３７】
さらに、第１のＩＥＥＥ１３９４物理装置４０４は、第１の光送受信器４０２から受信したデータが下位のＩＥＥＥ１３９４のノードに伝達されるべきデータであれば、該データを、下位ＩＥＥＥ１３９４のノードへの伝達がなされるように、第２の光送受信器４０３へと伝送する。
【００３８】
一方、上向データの処理について説明すると、第１のＩＥＥＥ１３９４物理装置４０４は、ＩＥＥＥ１３９４ブリッジ装置４０７を通じて伝達された内部網のＩＥＥＥ１３９４装置３０４からの上向信号を、第１の光送受信器４０２を通じて外部のネットワークに伝送する。また、第１のＩＥＥＥ１３９４物理装置４０４は、非等時性データ受信部４０９で受信された非等時性データを、制御部４０１とＩＥＥＥ１３９４リンク装置４０５とを通じて受信すると、該データを第１の光送受信器４０２を通じて外部のネットワークに伝送する。
【００３９】
そして、ＩＥＥＥ１３９４リンク装置４０５は、ＩＥＥＥ１３９４データのデータリンク階層の動作を遂行するものであり、第１のＩＥＥＥ１３９４物理装置４０４から伝達されたＩＥＥＥ１３９４データを、制御部４０１の制御に基づいて、ＡＰＩ４０６に伝送する。また、ＩＥＥＥ１３９４リンク装置４０５は、非等時性データ受信部４０９で受信された非等時性データを制御部４０１を通じて受信すると、該データを第１のＩＥＥＥ１３９４物理装置４０４に伝送する。
【００４０】
ＡＰＩ４０６は、ＩＥＥＥ１３９４リンク装置４０５を通じて伝達されたマルチメディアデータを、ＡＶ用装置のためのフォーマットのデータに変換して当該ＡＶ用装置に伝達する。すなわち、ＡＰＩ４０６は、ＩＥＥＥ１３９４のデータを、ＡＶ用装置のためのＲＧＢデータやコンポーネントデータ（映像色差データ）に変換して、接続されたＡＶ用装置に出力する。
【００４１】
そして、第２のＩＥＥＥ１３９４物理装置４０８とＩＥＥＥ１３９４ブリッジ装置４０７は、内部網のＩＥＥＥ１３９４装置３０４との接続を担当する。第２のＩＥＥＥ１３９４物理装置４０８は、内部網のＩＥＥＥ１３９４装置３０４と接続され、ＩＥＥＥ１３９４ａ方式でデータを送受信する。
【００４２】
この際、上位ネットワークとの独立的なＩＥＥＥ１３９４通信のために、ＩＥＥＥ１３９４ブリッジ装置４０７は、上位ネットワークと第１のＩＥＥＥ１３９４物理装置４０４、ＩＥＥＥ１３９４リンク装置４０５などが使用するバスＡとは異なるバスＢを、第２のＩＥＥＥ１３９４物理装置４０８に割り当てて、相異なる二つバスＡ，Ｂの間の通信を中間で橋渡しする役割を遂行する。
【００４３】
より詳しくは、ＩＥＥＥ１３９４ブリッジ装置４０７は、制御部４０１の制御により、第１のＩＥＥＥ１３９４物理装置４０４からバスＡを通じて伝達されたＩＥＥＥ１３９４データを、バスＢに変更して第２のＩＥＥＥ１３９４物理装置４０８に伝送する。また、ＩＥＥＥ１３９４ブリッジ装置４０７は、逆に第２のＩＥＥＥ１３９４物理装置４０８からバスＢを通じて上向に伝達されるＩＥＥＥ１３９４データを、バスＡに変更して第１のＩＥＥＥ１３９４物理装置４０４に伝送する。換言すれば、ＩＥＥＥ１３９４ブリッジ装置４０７は、ＳＰと接続されたＩＥＥＥ１３９４の機器３０４のバスリセット及び形成（ｃｏｎｆｉｇｕｒａｔｉｏｎ）過程がＳＰの外部には直接的に影響を与えないように、バスナンバーの再割り当てを行う。
【００４４】
非等時性データ受信部４０９は、使用者からの非等時性データを受信して、該データを制御部４０１に伝達する。ここで、使用者からの非等時性データとしては、リモコンによるチャンネル選択情報や両方向ＴＶでの上向信号などが含まれる。
【００４５】
制御部４０１は、ＩＥＥＥ１３９４プロトコルスタックと非等時性データの処理を担当し、ＩＥＥＥ１３９４リンク装置４０５、ＩＥＥＥ１３９４ブリッジ装置４０７及び非等時性データ受信部４０９と接続される。ここで、制御部４０１の動作を説明すると、制御部４０１は、ＩＥＥＥ１３９４ブリッジ装置４０７を制御して、内部網のＩＥＥＥ１３９４装置３０４（図３参照）にシステムのバスリセットが発生されないように、ＩＥＥＥ１３９４装置３０４が独立的にＳＰに接続されるようにする。また、制御部４０１は、非等時性データ受信部４０９からの非等時性データを受信し、該データがＩＥＥＥ１３９４のデータとして上向に伝達されるように、これをＩＥＥＥ１３９４リンク装置４０５に伝達する。
【００４６】
図４のような構造を有するＩＥＥＥ１３９４ホームネットワークに適用されるＳＰの動作をさらに詳細に説明すると、次の通りである。
【００４７】
先ず、下向データを伝達する処理について詳細に説明する。
【００４８】
先ず、外部ネットワークのＳＧ３１から入るＩＥＥＥ１３９４データは、ＰＯＦ（Ｐｌａｓｔｉｃ  Ｏｐｔｉｃａｌ  Ｆｉｂｅｒ）を介してそれぞれのＳＰの第１の光送受信器４０２に伝達されて光／電変換された後に、第１のＩＥＥＥ１３９４物理装置４０４に入力される。ここで、ＳＰに使用される光送受信器４０２，４０３は、光源として、４００Ｍｂｐｓ以上のビットレートを支援する６５０ｎｍのＶＣＳＥＬが用いられる。また、光送受信器４０２，４０３は、光信号の受信のためには、送信部に相応する光を受け入れることができるＰＤ(ｐｈｏｔｏｄｅｔｅｃｔｏｒｓ)と、駆動ドライバＩＣ（Ｉｎｔｅｇｒａｔｅｄ  Ｃｉｒｃｕｉｔ）との結合により構成される。そして、第１の光送受信器４０２によって光データの光／電変換が行われると、当該データは、８（ｂｉｔ）／１０ｂ（ｂｉｔ）形態のＮＲＺ（Ｎｏｎ−Ｒｅｔｕｒｎ  Ｚｅｒｏ）データとして出力される。
【００４９】
そして、出力されたＮＲＺデータは、第１のＩＥＥＥ１３９４物理装置４０４及びＩＥＥＥ１３９４リンク装置４０５を通じて、並列８ビットデータとしてＡＰＩ４０６に伝達される。ＡＰＩ４０６は、該並列データを、ＳＰの外部で必要とするデータフォーマットに変換して出力する。ここで、ＳＰの外部で必要とするデータフォーマットとは、ディジタルＴＶやＨＤ（Ｈｉｇｈ  Ｄｅｆｉｎｉｔｉｏｎ）セットトップボックスなどに接続するためのコンポーネント方式のデータフォーマット、ＰＣなどへの接続のためのＲＧＢ（ｒｅｄ，ｇｒｅｅｎ，ａｎｄ  ｂｌｕｅ）（Ｄ−ＳＵＢ）方式のデータフォーマット或いはＤＶＩ（ｄｉｇｉｔａｌ  ｖｉｄｅｏ  ｉｎｔｅｒｆａｃｅ）方式のデータフォーマットを含む。従って、ＡＰＩ４０６を介して接続されたＡＶ装置は、ＩＥＥＥ１３９４データ方式ではない通常のＡＶデータ伝送方式のみを支援するものであっても、ＳＰとの通信が可能となる。
【００５０】
非等時性パケットデータ（Ａｓｙｎｃｈｒｏｎｏｕｓ  ｐａｃｋｅｔ  ｄａｔａ）の場合は、第１のＩＥＥＥ１３９４物理装置４０４とＩＥＥＥ１３９４リンク装置４０５とを経て制御部４０１に伝達され、制御部４０１は、伝達された非等時性データを該当する宛先アドレスに送信する。
【００５１】
そして、ＩＥＥＥ１３９４機器との接続においては、独立的な環境を提供するためにＩＥＥＥ１３９４．１に定義されたＩＥＥＥ１３９４ブリッジ装置４０７を通じて異なるバスらが提供されることにより、機器の接続や離脱などのイベント時にシステム全体のバスリセットが発生しないようにする。
【００５２】
本発明に従ったＳＰは、上述のような構造とすることで、デイジーチェイン構造或いはツリー構造のトポロジーではなく、独立的な構造を有するＩＥＥＥ１３９４ネットワークを形成することができる。すなわち、機器がオン／オフ或いは接続／離脱されても、ＡＰＩ４０６に接続された機器はＩＥＥＥ１３９４方式の機器ではないので、ＡＰＩ４０６に接続された機器用のバスリセットを行うことは不必要となる。さらに、第２のＩＥＥＥ１３９４物理装置４０８に接続されるＩＥＥ１３９４装置３０４は、他のバスを使用するので、この機器が接続／離脱される場合にはバスリセットが不要となる。したがって、外部ネットワークとは独立した内部ネットワークを形成することが可能となる。
【００５３】
一方、上向データの伝達過程を以下に詳細に説明する。
【００５４】
先ず、上向に伝達される信号は二つが存在する。それは、第２のＩＥＥＥ１３９４物理装置４０８からの上向データと、非等時性データ受信部４０９からの上向データの二つである。ここで、ＡＰＩ４０６を通じた信号は、本実施形態では下向信号のみが存在する例を示している。しかしながら、ＡＰＩ４０６を通じて提供されるマルチメディアデータについての応答は、非等時性データ受信部４０９を通じて伝達することで実現される。
【００５５】
ここで、第２のＩＥＥＥ１３９４物理装置４０８からの上向データは、ＩＥＥＥ１３９４ブリッジ装置４０７を通じてバスを変更して第１のＩＥＥＥ１３９４物理装置４０４に伝達される。そして、第１のＩＥＥＥ１３９４物理装置４０４は、当該上向データを第１の光送受信器４０２を通じてＳＧ３１に伝達する。
【００５６】
そして、非等時性データ受信部からの上向データは、非等時性データ受信部４０９を通じて入力される。このように入力された非等時性データは、制御部４０１を通じてＩＥＥＥ１３９４リンク装置４０５を経て第１のＩＥＥＥ１３９４物理装置４０４に伝達される。そして、第１のＩＥＥＥ１３９４物理装置４０４は、当該上向データを第１の光送受信器４０２を通じてＳＧ３１に伝達する。
【００５７】
以上、本発明の実施の形態を詳細に説明したが、本発明は、当業者にとって本発明の技術的思想を外れない範囲内で種々の置換、変形及び変更が可能なものであり、上述した実施形態及び添付した図面に限定されるべきではない。
【図面の簡単な説明】
【００５８】
【図１】従来の技術によるＩＥＥＥ１３９４の一実施形態の網構成図である。
【図２】従来のＩＥＥＥ１３９４のデイジーチェイン構造による機器の離脱によるバスリセットの例示図である。
【図３】本発明に従ったＩＥＥＥ１３９４ホームネットワークの一実施形態の構成図である。
【図４】図３に示されたＩＥＥＥ１３９４ホームネットワークに適用されるＩＥＥＥ１３９４ホームネットワークサービスプラットフォーム装置の一実施形態の内部構成図である。
【符号の説明】
【００５９】
３１    サービスゲートウェー
３２，３３，３４    ＳＰｎ
３５    インターネット
３６    サーバ
３０１    ＴＶ
３０２    コンピュータ
３０３    ＩＥＥＥ１３９４ノード
３０４    ＩＥＥＥ１３９４装置
４０１  制御部
４０２  第１の光送受信器
４０３  第２の光送受信器
４０４  ＩＥＥＥ１３９４物理装置
４０５  ＩＥＥＥ１３９４リンク装置
４０６  ＡＰＩ
４０７  ＩＥＥＥ１３９４ブリッジ装置
４０８  ＩＥＥＥ１３９４物理装置
【図１】
2005151556.tif 000003
【図２】
2005151556.tif 000004
【図３】
2005151556.tif 000005
【図４】
2005151556.tif 000006